【手続補正書】
【提出日】平成16年10月28日(2004.10.28)
【手続補正１】
【補正対象書類名】明細書
【補正対象項目名】全文
【補正方法】変更
【補正の内容】
【書類名】  明細書
【発明の名称】  投げ上げパラシュート玩具
【特許請求の範囲】
【請求項１】  パラシュート（１）に複数の糸（２）を介して、中空体からなるステイック（３）をパラシュート（１）の中央部に吊下して取り付ける、ステイック（３）の中には、流動可能な錘（５）を封入した投げ上げパラシュート玩具。
【請求項２】  パラシュート（１）の中央部の下にステイック（３）の先端を、突合せ、緩く嵌合せて、脱着可能とする逆Ｕ字や下面開放のカップの形状をしたステイック受（４）を設けた、請求項１記載の投げ上げパラシュート玩具。
【請求項３】  ステイック（３）の首部に複数の糸（２）を纏めて装着するハーネス（７）を設け、この糸（２）を介してパラシュート（１）を装着する請求項２記載の投げ上げパラシュート玩具。
【請求項４】  ステイック（３）の先にガイド糸（８）を取り付け、そのガイド糸（８）の他端はパラシュート（１）に装着したステイック受（４）に取り付ける、このガイド糸（８）は、パラシュート（１）の開傘時に、パラシュート（１）の頂部をステイック受（４）で僅かで緊縮に係留する長さにした請求項３記載の投げ上げパラシュート玩具。
【請求項５】  パラシュート（１）の中央の頂部にヘッド（９）を取り付けた請求項４記載の投げ上げパラシュート玩具。
【発明の詳細な説明】
【０００１】
【発明の属する技術分野】
本発明は、投げ上げパラシュート玩具に関する。
【０００２】
【従来の技術】  従来の投げ上げパラシュート玩具は、パラシュートと錘とこれを吊下して結ぶ複数の糸からなっている。
また、先願調査によると、以下に記す関連出願がなされている。
１、公開実用新案公報  昭６３ー３２５９３
考案の名称      飛傘玩具
２、実用新案登録第３５４４４０号
玩具落下傘
上記先願を調査すると、
１の新案は、本出願の請求項１に関連するもので、傘骨を有する飛傘玩具の頂部に結合した支柱内に、錘を上下動可能に設けたもので、傘骨を持たない本出願と異なる。
２の新案は、本出願の請求項４に関連するもので、中央吊棒（吊糸）を傘体の頂部中央に結着したもので、パラシュートとステイッキが中央に結着したガイド糸を介し、接合、離脱して作用する本出願と異なる。
【０００３】
【発明が解決しようとする課題】
従来の投げ上げパラシュート玩具にあっては、遊ぶ時に、折り畳んだパラシュートに、錘を吊す複数の糸を巻き付け、その折り目に錘を挟んで投げ上げるなどをしている。
また、先願を公報で調べて見ると、錘を二分割する箱体で作り、パラシュートを折り畳んでこれに入れ、組み合わせて紐やバネで閉じて投げ上げるなどをしている。
投げ上げたパラシュートは、折り畳んだパラシュートの空気抵抗で十分な高さに達しないや、開傘時期がまちまちで、開傘しないでそのまま落下する。
さらに、構造が複雑であるや、安全な取り扱いができないなどの問題点があり、興味が長続きせず、玩具として普及していない。
【０００４】
本発明は、パラシュートの錘に、軽量な中空体の短管でなるステイックを用いる。
パラシュートの中央頂部の下に設けたステイック受にステイックの先端を当てて、パラシュートで包みながら折り畳むと、絡みやすい糸もステイックと一緒にパラシュートの中に繰り込まれ、投げ上げ前準備が簡単に終了する。
折り畳んだパラシュートの端と挿入したステイックの端を持って、下手投げでスイングすると、遠心力で錘がステイック内を自動的に前方に移動し、そのまま投げ上げると、ステイック内の錘が前重心となって、パラシュートを吹き流して上昇する。
腕の長さにステイックの長さが延長されるので、投げ上げモーメントが増し、高くに達する。
また、上空に達した後、下降に転ずると、質量の大きい錘がステイック内で先に落下し、ステイックの重心が下方に変化する。こうして、パラシュートからステイックが離脱し、空気抵抗の大きいパラシュートを牽引して、開傘させる。
【０００５】
構造と操作が簡単で、低コストで提供でき、上空に達する快感と、高空で開くパラシュートの浮遊落下を楽しみ、さらに、遊戯中の不慮の衝突に対しても安全に配慮した投げ上げパラシュート玩具を提供することを目的としている。
【０００６】
【課題を解決するための手段】
上記目的を達成するために、本発明の投げ上げパラシュート玩具においては、軽量で柔軟なシートで円形または多角形に形成したパラシュート１の外縁に、複数の糸２を設けて、これを介して軽量な中空体からなるステイック３を中央部に吊下して取り付けたものである。
また、ステイック３の中には、流動可能な錘５を封入する。
【０００７】
上記軽量で中空体からなるステイック３は、重量バランスを得るため、３分割して、前部にステイック・ノーズ３１、中間部に錘５を入れるステイック・シリンダー３２を設け、さらに、下部にステイック・グリップ３３を設け、全体でステイック３を構成する。
ステイック・シリンダー３２は中に錘５を移動自在に入れて、その両端はストッパー３４を設け、錘５を封止する。
【０００８】
ステイック３は、パラシュート１の開傘に際して、パラシュート１の内面と接触して滑るので、抵抗が少なく表面が滑らかな、中空軽量な合成樹脂材などで作ると効果的である。
また、遊戯中に起こる不慮の衝突に際し、被衝突物と本体を保護するために、やや軟質な弾性のある物が良い。
ステイック３は先端をステイック受４に突当て、折り畳んだ時、パラシュートの末端より僅かに出る長さにするが望ましい。
【０００９】
ステイック３に装着する複数の糸２は、ステイック３の先を余して首部に装着すると、絡み易い糸の長さが短縮され、パラシュート１にステイック３を挿入するセット操作がやりやすい。
また、糸２はパラシュート１を開傘するのに十分な長さでありながら、パラシュート１の中に繰り込だ時に、糸２の末端が折畳んだパラシュート１の端からはみ出さない長さにするのがよい。
【００１０】
上記パラシュート１の中央部の下に逆Ｕ字や下面開放のカップの形状をしたステイック受４を設けて、ステイック３の先端を、突合せ、緩く嵌合せて、脱着可能とする。
【００１１】
複数の糸２をステイック３に纏めて装着するために、柔軟でそれぞれの糸２に対応する放射状の腕をもつハーネス７を設けて、これを首部に装着すると、糸２とステイック３が接続しやすい。
また、開傘時にパラシュート１がステイッキ３に正対する位置に速やかに誘導され、投げ上げ操作とパラシュート１の開傘に有効である。
【００１２】
ステイック受４にガイド糸８を取り付け、そのガイド糸８の他端はステイック３の先部に取り付ける。
ガイド糸８の長さは、パラシュート１の開傘時に、その頂部をステイック受４を通して僅かに押さえる長さにして、ステイック３の先部に係留すると良い。
【００１３】
パラシュート１の中央の頂部にヘッド９を取り付ける。
【００１４】
【発明の実施の形態】
発明の実施の形態を実施例にもとずき図面を参照して説明する。
図１において、投げ上げパラシュート玩具のパラシュート１に複数の糸２を介してステイック３を吊下して装着する。また、ステイック３内には錘５を封入している。
その上、パラシート１の頂部中央部の下にステイック受４を設けている。
【００１５】
図２は、パラシート１の頂部中央部のステイック受４を示す要部断面図であり、下面開放のカップの形状をしたステイック受４を示している。
このステイック受４はステイック３の先端を緩く嵌め合わせる。
【００１６】
図３はステイック３の構造をを示し、中間にステイック・シリンダー３２を設け、中に錘５を移動自由に入れて、両端をストッパー３４で封止する。
このステイック・シリンダー３２の先にステイック・ノーズ３１を挿着している。
また、後方には握り６を持つステイック・グリップ３３を挿着して、全体で重量バランスを得たステイック３を構成する。
中に入れる錘５は金属球を使用する。その他、粘性の小さい水などの液体、移動しやすい乾燥砂、樹脂製またはガラスなどの球や棒なども使用可能である。
また、パラシュート１を繋ぐ複数の糸２は、ステイック３の先を余して首部に纏めて装着するのが有効である。
【００１７】
図４は、ステイック３にハーネス７を装着する要部図で、複数の糸２をステイック３に装着するのに、ハーネス７をステイック３の首部に装着するものである。
このハーネス７は軽く柔軟なフィルムで放射状に腕を形成し、その腕のそれぞれにパラシュート１に繋がる糸２を装着する。
【００１８】
図５に示すのは、パラシュート１とハーネス７とを繋ぐ糸２を示した実施例である。
ハーネス７の中央には、ステイック３の径に合わせた放射状の切り込みを設け、この切り込みをステイック３の外周に沿わせて装着する。
【００１９】
図６に示すものは、パラシュート１にステイック３を複数の糸２で吊下するのに加え、中心にガイド糸８を設けた実施例で、ステイック３の先部にガイド糸８を繋ぎ、このガイド糸８の多端をステイック受４に繋いだものである。
このガイド糸８は、パラシュート１が開傘した時の頂点を僅かに緊縮に押さえる長さにする。
また、パラシュート１の天頂に軽量なヘッド９を設けた実施例である。
【００２０】
図７に示すものは、パラシュート１にステイック３を組み合わせた、投げ上げ上昇中の状態図である。
【００２１】
【発明の効果】
本発明は、以上説明したように構成されるので、以下に記載されるような効果を奏する。
【００２２】
錘を移動可能に入れたステイックを使用する構造にしたので、開いたパラシュートの中にステイックを挿入して折り畳むと、ステイックと一緒に糸がパラシュートの中に繰り込まれ、糸が絡まることもなくステイックに沿って、パラシュートを折畳めるので投げ上げ前の準備が簡単に完了する。
糸をステイックの首部に装着することにより、糸の長さが短くなり、折り込む操作を容易にしている。
また、この玩具をコンパクトにする。
【００２３】
ステイック受をパラシュートの頂部下に設けたことにより、これに差し込むステイックの位置決めが簡単で、パラシュートの折り畳み操作や投げ上げ操作が容易になった。
また、操作中にステイックの先端がパラシュートを突き破ることが防止できる。
上昇中のパラシュートは、このステイック受でステイックの先端が容易に保持される。
さらに、上空で上昇から落下に移る際、突合せ、緩く嵌合せているステイックの離脱が容易となる。
【００２４】
投げ上げは、パラシュートとステイックの末端を同時に持って、下手投げでスイングして投げ上げる。
腕の長さにステイックの長さが加わるので投げ上げが容易になり、より大きな慣性モーメントを得て上空に達する。
【００２５】
ステイックの末端に握りを設けたことにより、パラシュートと一緒に持って投げ上げるのに有効である。
また、折り畳んだパラシュートの末端よりステイックの末端を、僅かに長くすると、上空での方向転換から落下時に、ステイックが先導桿となってパラシュートから抜け落ち、パラシュートがステイックに絡まず、ステイックが空中で円滑に離脱する。
【００２６】
ステイックとパラシュートの端を一緒に握り、ステイックの先端を下に向けると、ステイック内の錘が自動的に前方に移動し、前重心になる。
そのままスウイングして投げ上げると、前重心のステイックが包み込んで折り畳んだパラシュートを吹流して上昇する。
【００２７】
上昇中のステイック内の錘の位置が前過ぎると、パラシュートを吹流して上昇したままの前重心で落下に移り、放物線をえがいて開傘せずに落下する。
また、錘の位置が後過ぎると、パラシュートを吹流す飛行姿勢ができず、高くに達しない。。
ステイック内の錘の位置は、ステイックを構成するステイック・ノーズの長さで規定して適切なステイックの重量バランスを得る。
【００２８】
パラシュートを吹流して上空に達し、無重力となり、次に下降に移ると、質量の大きい重しが先にステイック内を落下し、ステイックの重量バランスが変化して、ステイックがパラシュートより離脱し、空気抵抗の大きいパラシュートを牽引して開傘させる。
ステイック・シリンダー内の錘の移動距離が長いと、開傘までに時間がかかり、自由落下距離が大きくなり高くで開傘しない。
ステイック・シリンダーの長さを規定して、錘の落下距離を制限すると速やかな開傘が得られる。
【００２９】
ステイックに複数の糸を取り付けるのに、柔軟なシート状のハーネスを用いると、パラシュートが展開した時、糸が正しい位置に瞬時に誘導整理されるので開傘が早い。
また、柔軟なシートとするため、パラシュートの動きに合わせた糸の柔軟な動きが得られ、絡みが防止ができる。
さらにまた、糸の結合場所が広くなるので、それぞれの位置に糸を取り付けやすい。
【００３０】
ステイックがパラシュートより離脱すると、ガイド糸が緊張し、次いで、外周に設けた複数の糸が触発されて速やかに開傘する。
ガイド糸は、開傘に際し、センターでパラシュートの芯線となるので、外周の糸が絡まらない。
また、このガイド糸は、パラシュートの天頂を引き下げるので、パラシュートの開傘面積が拡大し、浮遊時間が長くなる。
【００３１】
パラシュートに球状を一部分カットしたヘッドを取り付けた構造にすると、吹流して上昇する際、パラシュートの弾頭となって空気を整流し、上空に達する。
また、ヘッドの下にステイックの先端がパラシュートに接触しない空間が生ずるので、離脱の際に、容易にステイックの離脱が可能となる。
さらに、ヘッドの下の底部を穿ってステイック受を設けてもよい。
ヘッドの材質は、軽量な発砲スチロールや合成樹脂で中空軽量に形成したもので良く、このパラシュート玩具が飛行中に誤って何かに衝突するような際、緩衝材となって衝突物とパラシュート玩具とを保護する。
さらにまた、これを掴んでパラシュートの取り扱いが出来るので操作に便利である。
【００３２】
【図面の簡単な説明】
【図１】  パラシュートとステイックの取り付け例を示す縦面図である。
【図２】  図１のステイック受の要部拡大縦面断面図である。
【図３】  ステイック部の拡大一部切開図である。
【図４】  ハーネスを追加した一部拡大、一部切開断面図である。
【図５】  パラシュートとハーネスの平面取付図である。
【図６】  ガイド糸を追加した縦一部切開図である。
【図７】  投げ上げ上昇中のパラシュートとステイックの状態図である。
【００３３】
【符号の説明】
１          パラシュート
２          糸
３          ステイック
３１        ステイック・ノーズ
３２        ステイック・シリンダー
３３        ステイック・グリップ
３４        ストーパー
４          ステイック受
５          錘
６          握り
７          ハーネス
８          ガイド糸
９          ヘッド


【手続補正２】
【補正対象書類名】図面
【補正対象項目名】全図
【補正方法】変更
【補正の内容】
【図１】
2004313686.tif 000001
【図２】
2004313686.tif 000002
【図３】
2004313686.tif 000003
【図４】
2004313686.tif 000004
【図５】
2004313686.tif 000005
【図６】
2004313686.tif 000006
【図７】
2004313686.tif 000007